(57)【特許請求の範囲】
【請求項１】
一つ以上のコンテンツを保持するサーバと、前記サーバに接続され、ＩＣカードの読み取りと書き込みを行うＩＣカード端末を有し、前記サーバに保持された一のコンテンツを投影するプロジェクタと、前記サーバに接続された情報処理端末とからなるネットワークデータプロジェクタシステムであって、
前記プロジェクタは、前記プロジェクタが所定のコンテンツを投影している間に、前記ＩＣカード端末にＩＣカードが提示されたとき、前記プロジェクタに投影しているコンテンツである投影コンテンツの識別子である投影コンテンツ識別子を前記ＩＣカードに格納する投影コンテンツ識別子格納手段を有し、
前記情報処理端末は、前記ＩＣカードに格納された前記投影コンテンツ識別子を読み込み、前記投影コンテンツ識別子に対応する前記投影コンテンツを前記サーバに要求する投影コンテンツ要求手段を有し、
前記サーバは、前記投影コンテンツ識別子に対応した前記投影コンテンツを、前記情報処理端末に送信する投影コンテンツ送信手段を有することを特徴とする、ネットワークデータプロジェクタシステム。
【請求項２】
前記プロジェクタは、前記投影コンテンツの投影の進捗情報であるコンテンツ投影進捗情報を前記サーバに送信するコンテンツ投影進捗情報送信手段を有し、
前記投影コンテンツ送信手段は、前記コンテンツ投影進捗情報に基づき、前記投影コンテンツを前記情報処理端末に送信することを特徴とする、請求項１記載のネットワークデータプロジェクタシステム。
【請求項３】
前記投影コンテンツ送信手段は、ポーリング方式により前記情報処理端末へ、要求された前記投影コンテンツのうち前記投影コンテンツのデータの差分を送信することを特徴とする、請求項１又は２記載のネットワークデータプロジェクタシステム。
【請求項４】
前記サーバは、前記投影コンテンツに関連する関連コンテンツのリストを保持し、前記関連コンテンツのリストから選択された前記関連コンテンツを送信する関連コンテンツ送信手段を有することを特徴とする、請求項１ないし３いずれか一項記載のネットワークデータプロジェクタシステム。
【請求項５】
前記プロジェクタは、前記ＩＣカード端末に前記ＩＣカードが提示されたとき、前記ＩＣカードのカード識別子を読み込んで、前記カード識別子を前記サーバに送信するプロジェクタ側カード識別子送信手段を有し、
前記情報処理端末は、前記ＩＣカードが提示されたとき、前記ＩＣカードの前記カード識別子を読み込んで、前記カード識別子を前記サーバに送信するＰＣ側カード識別子送信手段を有し、
前記投影コンテンツ送信手段は、前記投影コンテンツを要求した前記情報処理端末のうち、前記プロジェクタ側カード識別子送信手段が送信した前記カード識別子と一致する前記カード識別子を送信した前記情報処理端末に、前記投影コンテンツを送信することを特徴とする、請求項１ないし４いずれか一項記載のネットワークデータプロジェクタシステム。
【請求項６】
前記サーバは、前記投影コンテンツを、前記カード識別子毎、前記情報処理端末毎、又はユーザの識別子毎に保持することを特徴とする、請求項５記載のネットワークデータプロジェクタシステム。
【請求項７】
一つ以上のコンテンツを保持するサーバと、情報処理端末とに接続され、前記サーバに保持された一のコンテンツを投影するプロジェクタであって、
ＩＣカードの読み取りと書き込みを行うＩＣカード端末を有し、
前記プロジェクタが所定のコンテンツを投影している間に、前記ＩＣカード端末にＩＣカードを提示したとき、投影している前記所定のコンテンツを前記情報処理端末が前記サーバに要求するための投影コンテンツ識別子を、前記ＩＣカードに格納する投影コンテンツ格納手段を有することを特徴とする、プロジェクタ。
【請求項８】
前記ＩＣカード端末により前記ＩＣカードの第一のカード識別子を読み込んで、前記第一のカード識別子を前記サーバに送信するカード識別子送信手段を有することを特徴とする、請求項７記載のプロジェクタ。
【請求項９】
前記コンテンツの投影前に、前記ＩＣカード端末で読み込んだ前記ＩＣカードの第二のカード識別子を、前記サーバに送信し、
前記サーバから、前記第二のカード識別子に対応するコンテンツのリストを受け取って投影するコンテンツリスト投影手段と、
前記コンテンツのリストから、投影するコンテンツの選択を受け付け、前記サーバに選択された前記コンテンツを要求する投影コンテンツ要求手段と、
前記サーバから受け付けた前記コンテンツを投影することを特徴とする、請求項７または８記載のプロジェクタ。
【請求項１０】
一つ以上のコンテンツを保持するサーバと、前記サーバに接続され、ＩＣカードの読み取りと書き込みを行うＩＣカード端末を有し、前記サーバに保持された一のコンテンツを投影するプロジェクタと、前記サーバに接続された情報処理端末とからなるネットワークデータプロジェクタシステムにおけるコンテンツ投影方法であって、
前記プロジェクタは、前記プロジェクタが所定のコンテンツを投影している間に、前記ＩＣカード端末にＩＣカードを提示したとき、前記プロジェクタに投影しているコンテンツである投影コンテンツの識別子である投影コンテンツ識別子を前記ＩＣカードに格納する投影コンテンツ識別子格納手順を有し、
前記情報処理端末は、前記ＩＣカードに格納された前記投影コンテンツ識別子を読み込み、前記投影コンテンツ識別子に対応する前記投影コンテンツを前記サーバに要求する投影コンテンツ要求手順を有し、
前記サーバは、前記投影コンテンツ識別子に対応した前記投影コンテンツを、前記情報処理端末に送信する投影コンテンツ送信手順を有することを特徴とする、コンテンツ投影方法。
【発明の詳細な説明】
【技術分野】
【０００１】
本発明は、ネットワークデータプロジェクタシステム、プロジェクタ、コンテンツ投影方法に関する。
【背景技術】
【０００２】
オフィスでの会議において、資料をプロジェクタに表示し、会議の参加メンバーが資料を見られるようにしている光景は一般的である。このような会議において、プロジェクタで参照されている資料を会議参加者間で共有するために、資料を外部サーバに格納し、会議の参加者はサーバにアクセスして、入手した資料を目前のＰＣに表示する技術が既に知られている。
【０００３】
以下、会議でプレゼンテーションを行う者をプレゼンター、会議に参加する他のメンバーをオーディエンスと表記する。特許文献１において、プレゼンターはプレゼンテーションに使用する資料をサーバに格納する。外出先で、投影部を有する携帯端末からサーバにアクセスし、プレゼンテーションに関する情報をサーバから読み出して投影し、プレゼンテーションを行う。サーバへのアクセスキー情報をオーディエンスに知らせることで、オーディエンスがサーバにアクセスし、プレゼンテーションに用いたデータを利用することができる。
【０００４】
（特許文献１参照）
【発明の開示】
【発明が解決しようとする課題】
【０００５】
しかし、特許文献１の技術によると、オーディエンスが資料を入手するためには、サーバへのアクセスキー情報を取得しなければならない。入手したアクセスキー情報を自ら入力する必要があり、資料を入手するにあたって確実な方法とはいえない。また、プレゼンテーションの実行中にそれらの作業を行うことはオーディエンスにとって負担となる。さらに、外出先のオーディエンスがプレゼンテーションの最中に資料を入手しようとしても、ネットワークにかかる負荷が大きいため、現実的でない。
【０００６】
本発明は、上記の点に鑑みてなされたものであって、より簡単、確実にプロジェクタに投影されているコンテンツを入手することのできるネットワークデータプロジェクタシステム、プロジェクタ、コンテンツ投影方法の提供を目的とする。
【課題を解決するための手段】
【０００７】
そこで上記課題を解決するため、本発明のネットワークデータプロジェクタシステムは、一つ以上のコンテンツを保持するサーバと、前記サーバに接続され、ＩＣカードの読み取りと書き込みを行うＩＣカード端末を有し、前記サーバに保持された一のコンテンツを投影するプロジェクタと、前記サーバに接続された情報処理端末とからなるネットワークデータプロジェクタシステムであって、前記プロジェクタは、前記プロジェクタが所定のコンテンツを投影している間に、前記ＩＣカード端末にＩＣカードが提示されたとき、前記プロジェクタに投影しているコンテンツである投影コンテンツの識別子である投影コンテンツ識別子を前記ＩＣカードに格納する投影コンテンツ識別子格納手段を有し、前記情報処理端末は、前記ＩＣカードに格納された前記投影コンテンツ識別子を読み込み、前記投影コンテンツ識別子に対応する前記投影コンテンツを前記サーバに要求する投影コンテンツ要求手段を有し、前記サーバは、前記投影コンテンツ識別子に対応した前記投影コンテンツを、前記情報処理端末に送信する投影コンテンツ送信手段を有することを特徴とする。
【０００８】
また、上記課題を解決するため、本発明は、上記ネットワークデータプロジェクタシステムにおけるプロジェクタ、コンテンツ投影方法としてもよい。
【発明の効果】
【０００９】
本発明によれば、より簡単、確実にプロジェクタに投影されているコンテンツを入手することのできるネットワークデータプロジェクタシステム、プロジェクタ、コンテンツ投影方法を提供することができる。
【図面の簡単な説明】
【００１０】
【図１】ネットワークデータプロジェクタシステム１におけるネットワーク構成図である。
【図２】第一の実施形態の処理手順を説明するためのシーケンス図である。
【図３】プロジェクタ１１のハードウェア構成図である
【図４】プロジェクタ１１の機能ブロック図である。
【図５】コンテンツサーバ１２のハードウェア構成図である。
【図６】コンテンツサーバ１２の機能ブロック図である。
【図７】コンテンツＤＢ５０の一例である。
【図８】ＰＣ１３のハードウェア構成図である。
【図９】ＰＣ１３の機能ブロック図である。
【図１０】ＩＣカードのデータ構造図である。
【図１１】第一の実施形態におけるネットワークデータプロジェクタシステム１の処理フローである。
【図１２】第二の実施形態の処理手順を説明するためのシーケンス図である。
【発明を実施するための形態】
【００１１】
（第一の実施形態）
（ネットワークデータプロジェクタシステム１のネットワーク構成と機能）
以下、図面に基づいて第一の実施形態を説明する。図１は、ネットワークデータプロジェクタシステム１におけるネットワーク構成図である。尚、以下の説明においては、便宜上、本実施の形態の説明に必要な構成要素が示されている。
【００１２】
ネットワークデータプロジェクタシステム１は、プロジェクタ１１、コンテンツサーバ１２、ＰＣ１３を備えるシステムであって、コンテンツサーバ１２で管理するコンテンツをプロジェクタ１１が表示する。また、コンテンツサーバ１２で管理するコンテンツをＰＣ１３が取得して表示する。
【００１３】
プロジェクタ１１は投影装置であり、コンテンツサーバ１２から取得したコンテンツを投影する。以後、プロジェクタ１１で投影されているコンテンツを投影コンテンツとする。プロジェクタ１１は、ＩＣカードに格納された情報の読み取り、書き込みを行う機能を持つＩＣカード端末を備える。コンテンツサーバ１２は、コンテンツを管理する。
【００１４】
ＰＣ１３は、会議の参加者であるオーディエンスが操作する、一般的な情報処理端末である。ＰＣ１３は、コンテンツサーバ１２から投影コンテンツの配信を受け付ける。オーディエンスは複数の人数であることが一般的なので、ＰＣ１３は一台に限らず、オーディエンスの人数に応じて複数のＰＣを接続することができる。
【００１５】
（ネットワークデータプロジェクタシステム１の処理）
プレゼンターがプロジェクタ１１に対してログインを行うと、プロジェクタ１１はコンテンツサーバ１２にコンテンツのリストを要求する。コンテンツサーバ１２がプロジェクタ１１にコンテンツのリストを送ると、プレゼンターがコンテンツのリストから投影コンテンツを選択する。プロジェクタ１１は、コンテンツサーバ１２から受け付けた投影コンテンツを投影する。
【００１６】
投影コンテンツを投影している間、オーディエンスはＩＣカードをプロジェクタ１１のＩＣカード端末にかざす。プロジェクタ１１は、オーディエンスのＩＣカードに投影コンテンツの識別子を格納する。以降、投影コンテンツの識別子を「投影コンテンツ識別子」とする。その後、オーディエンスは自己のＰＣ１３にＩＣカードをかざし、ＰＣ１３はＩＣカードから投影コンテンツ識別子を取得する。ＰＣ１３は、取得した投影コンテンツ識別子をコンテンツサーバ１２に送って投影コンテンツを要求する。コンテンツサーバ１２は、要求を受けて投影コンテンツをＰＣ１３に送信する。
【００１７】
投影コンテンツに対応する投影コンテンツ識別子をＩＣカードに格納し、ＩＣカードをＰＣに提示することで投影コンテンツを特定する構成とすることで、オーディエンスは容易にプレゼンに供された資料を入手することができる。
【００１８】
（ネットワークデータプロジェクタシステム１の処理の流れ）
次に、ネットワークデータプロジェクタシステム１の処理の流れを詳しく説明する。図２は、第一の実施形態の処理手順を説明するためのシーケンス図である。
【００１９】
まず、プレゼンター側の処理を説明する。Ｓ１０１において、プレゼンターは、プロジェクタ１１のＩＣカード端末にカードをかざしてログインする。プロジェクタ１１は、ＩＣカードの提示を受け付けたときに、ＩＣカードを提示した者がプレゼンターであるか、オーディエンスであるかを確認する。確認は、例えば「あなたはプレゼンターですか？Yes or No」というような表示を投影して、ＩＣカード提示者の入力を受け付ける。
【００２０】
プロジェクタ１１は、ＩＣカード提示者がプレゼンターであることを認識したら、Ｓ１０２でプレゼンターのＩＣカードからＩＣカードの識別情報（以降、「カード識別子」とする）を読み取る。Ｓ１０３でカード識別子をコンテンツサーバ１２に送り、予めカード識別子と対応して記憶されているコンテンツのリストをコンテンツサーバ２に要求する。
【００２１】
Ｓ１０４で、コンテンツサーバ１２はプロジェクタ１１にコンテンツのリストを送信し、Ｓ１０５において、プロジェクタ１１が取得したコンテンツのリストを投影する。Ｓ１０６で、プレゼンターはコンテンツのリストから投影コンテンツを選択する。Ｓ１０７において、プロジェクタ１１がコンテンツサーバ１２に投影コンテンツを要求すると、Ｓ１０８で投影コンテンツがコンテンツサーバ１２からプロジェクタ１１に送信される。Ｓ１０９でプロジェクタ１１にコンテンツが投影される。
【００２２】
Ｓ１１０において、コンテンツの投影の際、プロジェクタ１１は投影コンテンツの進捗情報をコンテンツサーバ１２に送信し、Ｓ１１１でコンテンツサーバ１２は投影コンテンツの進捗情報を記憶しておく。
【００２３】
次にオーディエンス側の処理について説明する。Ｓ１１２において、オーディエンスは投影コンテンツの投影中に、ＩＣカードをプロジェクタ１１のＩＣカード端末に提示する。Ｓ１１３で、プロジェクタ１１は、オーディエンスのＩＣカードに投影コンテンツの投影コンテンツ識別子を格納する。Ｓ１１４で、オーディエンスが自己のＰＣ１３にＩＣカードをかざすと、Ｓ１１５で、ＰＣ１３がＩＣカードから読み取った投影コンテンツ識別子をコンテンツサーバ１２に送り、投影コンテンツのデータを要求する。Ｓ１１６で、コンテンツサーバ１２から投影コンテンツ識別子に対応する投影コンテンツのデータがＰＣ１３に送信されると、Ｓ１１７でＰＣ１３に投影コンテンツが表示される。
【００２４】
尚、ここでは便宜上、Ｓ１１２でのオーディエンスのプロジェクタ１１へのＩＣカード提示に先立って、Ｓ１１０においてプロジェクタ１１からコンテンツサーバ１２へコンテンツ投影の進捗情報が送信されることとした。しかしオーディエンスは、コンテンツ投影中はいつでもＩＣカードの提示が可能である。また、進捗情報の送信は随時行われる。
【００２５】
（変形例）
コンテンツサーバ１２から投影コンテンツをＰＣ１３に送信する際、記憶された投影コンテンツの進捗情報を参照し、既に投影された投影コンテンツのみを送信する構成にしてもよい。例えば、２０枚のスライドからなる投影コンテンツのうち４枚が投影された時点で、ＰＣ１３が受信するのは既に投影された４枚に限る構成にすることができる。このような構成とすることで、オーディエンスに投影前の資料を先読みされることを防ぐことができる。
【００２６】
また、コンテンツサーバ１２からＰＣ１３への投影コンテンツの送信について、ポーリング方式で投影コンテンツのデータを送信する構成にしてもよい。コンテンツサーバ１２は、投影コンテンツを要求したＰＣ１３に対して定期的に問い合わせを行い、プロジェクタ１１に表示された投影コンテンツと、既にＰＣ１３に送信した投影コンテンツのデータとの差分を、ＰＣ１３に自動的に送信する構成としてもよい。
【００２７】
プレゼンターは、自己のＩＣカードをプロジェクタに提示することでコンテンツのリストを閲覧でき、コンテンツのリストから投影コンテンツを選択することで容易にコンテンツを投影できる。オーディエンスは、自己のＩＣカード端末に投影コンテンツの投影コンテンツ識別子を格納することで、投影コンテンツのデータを簡単かつ確実に取得することができる。
【００２８】
（プロジェクタ１１のハードウェア構成と機能）
次に、プロジェクタ１１のハードウェア構成について説明する。図３は、プロジェクタ１１のハードウェア構成図である。
【００２９】
プロジェクタ１１は、投影装置１１１、映像入力端子１１２、ネットワークＩ／Ｆ１１３、入力装置１１４、ＣＰＵ１１５、メモリ装置１１６、不揮発メモリ１１７、ＩＣカード端末１１８を備える。投影装置１１１は、コンテンツを映し出す装置である。映像入力端子１１２は、コンテンツの映像をコンテンツサーバから受信する端子である。ネットワークＩ／Ｆ１１３は、ＰＣ１３及びコンテンツサーバ１１３とのネットワークインターフェイスである。入力装置１１４は、ボタンやリモコン受信部などで構成され、プロジェクタ１１への直接的な入力を受け付ける。
【００３０】
ＣＰＵ１１５は、プロジェクタ１１を制御する中央演算装置である。メモリ装置１１６は、演算に必要なデータを読み込み、または書き出す装置である。不揮発メモリ１１７は、永続させるデータを記録して読み出す。ＩＣカード端末１１８は、ＩＣカードに情報を書き込み、またはＩＣカードから情報を読み出す装置である。
【００３１】
（プロジェクタ１１のハードウェアによる処理）
本実施形態においては、ＣＰＵ１１５により以下の処理が行われる。ＩＣカード端末１１８がＩＣカードの提示を受け付けると、投影装置１１１に、ＩＣカードを提示した者がプレゼンターであるか、オーディエンスであるかを問い合わせる画面を投影する。入力装置１１４が、ＩＣカードの提示した者がプレゼンターであるとの入力を受け付けると、ＩＣカード端末１１８はＩＣカードのカード識別子の読み取りを行う。読み取られたカード識別子は、ネットワーク制御Ｉ／Ｆ１１３を経由してコンテンツサーバ１２に送られ、カード識別子に対応するコンテンツのリストを要求する。
【００３２】
コンテンツのリストをコンテンツサーバ１２から受け付けると、投影装置１１１に投影し、プレゼンターの入力を受け付ける。入力装置１１４から表示コンテンツの決定が入力されると、ネットワークＩ／Ｆを介してコンテンツサーバ１２に表示コンテンツを要求し、受信した表示コンテンツを投影装置１１１に投影する。
【００３３】
コンテンツの投影中に、ＩＣカード端末１１８にＩＣカードが提示され、ＩＣカードを提示した者がオーディエンスであるとの入力を入力装置１１４が受け付けた場合、ＩＣカード端末１１８は、投影コンテンツの投影コンテンツ識別子をＩＣカードに格納する。
【００３４】
プロジェクタ１１にＩＣカードの読み取り及び書き込み機能を設け、投影コンテンツを特定する情報をＩＣカードに格納することで、オーディエンスは容易にプレゼンテーションに関する資料を入手することができる。
【００３５】
（プロジェクタ１１の機能）
次に、プロジェクタ１１の機能について説明する。図４は、プロジェクタ１１の機能ブロック図である。
【００３６】
プロジェクタ１１は、アプリケーションとして、ＰＣデータ出力アプリ２１、コンテンツ出力アプリ２２を備える。ミドルウェアとして、投影部２３、ＩＣカード情報読取部２４、コンテンツリスト要求部２５、コンテンツ取得部２６、投影コンテンツ識別子格納部２７、提示者判断部２8、コンテンツ投影進捗情報送信部２９を備える。他に、ネットワークモジュール３０、永続情報記憶部３１、映像出力部３２、映像入力部３３、操作部３４、ＩＣカード制御部３５を備える。
【００３７】
ＰＣデータ出力アプリ２１は、ＰＣ等情報端末から映像ケーブルで送信される映像ストリームを投影する機能を備える。コンテンツ出力アプリ２２は、コンテンツサーバ１２からコンテンツを取得し、投影する機能を備える。
【００３８】
投影部２３は、映像を写す。ＩＣカード情報読取部２４は、カード識別子等のＩＣカードの情報を読み取る。コンテンツリスト要求部２５は、コンテンツサーバ１２にコンテンツのリストを要求する。コンテンツ取得部２６は、ネットワークＩ／Ｆ１１３を用いてコンテンツを取得する。投影コンテンツ識別子格納部２７は、ＩＣカードに投影コンテンツ識別子を格納する。提示者判断部２８は、ＩＣカードの提示に対する問い合わせを行う。提示者判断部２８は、問い合わせに対する入力に基づき、ＩＣカード提示者の判断を行う。コンテンツ投影進捗情報送信部２９は、投影部２３に投影しているコンテンツの進捗情報をコンテンツサーバ１２に送信する。
【００３９】
ネットワークモジュール３０は、ネットワーク通信を制御する。永続情報記憶部３１は、不揮発メモリ１１７のデータの入出力を制御する。映像出力部３２は、投影部２３に映像を出力する。映像入力部３３は、外部から映像を入力する。操作部３４は、プロジェクタ１１に対する入力処理を受け付ける。ＩＣカード制御部３５は、ＩＣカードからの情報の読み取り、ＩＣカードへの情報の書き込みを制御する。
【００４０】
（プロジェクタ１１のソフトウェアによる処理）
プロジェクタ１１のＩＣカード端末１１８にＩＣカードが提示されると、ＩＣカード制御部３５から提示者判断部へＩＣカード提示が伝達され、提示者判断部２８がＩＣカード提示者の問い合わせを行う。投影部２３に問い合わせ画面が投影され、操作部３４が入力を受け付けると、提示者判断部２８がＩＣカード提示者に応じた処理を制御する。
【００４１】
ＩＣカード提示者がプレゼンターであった場合、ＩＣカード制御部３５の制御によりＩＣカード情報読取部２４でカード識別子が読み込まれる。コンテンツリスト要求部２５がカード識別子をコンテンツサーバ１２に送り、コンテンツサーバ１２にカード識別子に対応するコンテンツのリストを要求する。コンテンツ取得部２６がコンテンツのリストを取得すると、投影部２３がコンテンツのリストを投影する。
【００４２】
コンテンツ取得部２６は、プレゼンターのコンテンツリストからの投影コンテンツの選択を受け付け、投影コンテンツをコンテンツサーバ１２に要求する。コンテンツサーバ１２から受信した投影コンテンツは、投影部２３から、コンテンツ出力アプリ２２を用いて投影される。投影コンテンツの進捗情報が、コンテンツ投影進捗情報送信部２９からコンテンツサーバ１２に送信される。
【００４３】
提示者判断部２８が、ＩＣカードの提示者がオーディエンスであるとの操作部３４に対する入力を受け付けると、投影コンテンツ識別子格納部２７は投影部２３において、投影コンテンツが投影中であるかを確認する。コンテンツの投影中である場合、投影コンテンツ識別子格納部２７は、提示されているＩＣカードに投影コンテンツの投影コンテンツ識別子を格納する。
【００４４】
プロジェクタ１１がＩＣカードの制御を行う構成を実現することで、簡単かつ確実にコンテンツの投影やオーディエンスへの投影コンテンツの受け渡しが可能となる。
【００４５】
（コンテンツサーバ１２のハードウェア構成と機能）
次に、コンテンツサーバ１２のハードウェア構成について説明する。図５は、コンテンツサーバ１２のハードウェア構成図である。コンテンツサーバ１２は一般的なサーバであり、本件発明に係るコンテンツサーバ１２の機能の詳細については後述する。
【００４６】
コンテンツサーバ１２は、表示装置１２１、入力端子１２２、ネットワークＩ／Ｆ１２３、ＣＰＵ１２４、メモリ装置１２５、ＨＤＤ１２６を備える。表示装置１２１は、メッセージや動作状態を表示する装置である。入力端子１２２は、マウスやキーボードなどで構成される操作指示を受け付ける装置である。ネットワークＩ／Ｆ１２３は、データ送受信を行うインターフェイスである。ＣＰＵ１２４は、コンテンツサーバ１２を制御する中央演算装置である。メモリ装置１２５は、ＲＯＭ及びＲＡＭであり、コンテンツサーバ１２の処理に必要なデータを格納する装置である。ＨＤＤ１２６は、永続情報を格納する装置であり、コンテンツの格納を行う。ＣＰＵ１２４は、電源投入時にＨＤＤ１２６内の各種プログラムを読み出し、メモリ装置１２５にインストールした後、各種プログラムに従って動作する。
【００４７】
（コンテンツサーバ１２のハードウェアによる処理）
コンテンツサーバ１２は、ネットワークＩ／Ｆ１２３からカード識別子を受け付けると、ＨＤＤ１２６に格納されたコンテンツのデータベースを参照して、カード識別子に対応したコンテンツのリストをプロジェクタ１１へ送る。プロジェクタ１１から投影コンテンツを要求されたら、ＨＤＤ１２６から投影コンテンツを読み出し、ネットワークＩ／Ｆ１２３を介してプロジェクタ１１へ送る。また、ネットワークＩ／Ｆを経由して、ＰＣ１３から投影コンテンツ識別子に対応する投影コンテンツが要求された場合、投影コンテンツをＨＤＤ１２６から読み出し、ＰＣ１３へ送信する。
【００４８】
ＩＣカードが保有する各識別子に従って処理をすることで、迅速かつ確実に要求されたコンテンツの受け渡しをすることができる。
【００４９】
（コンテンツサーバ１２の機能）
次に、コンテンツサーバ１２の機能について説明する。図６は、コンテンツサーバ１２の機能ブロック図である。
【００５０】
コンテンツサーバ１２は、アプリケーションとしてユーザー情報設定アプリ４１、コンテンツ管理アプリ４２を備える。ミドルウェアとして、ユーザー情報管理部４３、コンテンツリスト管理部４４、コンテンツ制御部４５、ポーリング制御部４６、関連コンテンツ制御部４７、アクセス制御部４８を備える。コンテンツサーバ１２は、ほかにネットワークモジュール４９、コンテンツＤＢ（Database）５０、出力部５１、操作部５２、記憶部５３を備える。
【００５１】
ユーザー情報設定アプリ４１は、ユーザーの追加、削除や、登録済みユーザー情報の編集を行う。コンテンツ管理アプリ４２は、コンテンツの追加、削除や、登録済みコンテンツ情報の編集を行う。ユーザー情報管理部４３は、ユーザーの情報を一元管理する。コンテンツリスト管理部４４は、コンテンツのリストの生成及び送受信を制御する。コンテンツ制御部４５は、コンテンツＤＢ５１のデータ入出力制御及びコンテンツの管理を行う。
【００５２】
ポーリング制御部４６は、投影コンテンツをオーディエンスに送るときのポーリング制御を行う。関連コンテンツ制御部４７は、コンテンツＤＢ５１内の所定のコンテンツに関連するコンテンツを管理する。アクセス制御部４８は、投影コンテンツをＰＣ１３に送信する際のアクセス権に関する制御を行うが、詳細は後述する。
【００５３】
ネットワークモジュール４９は、コンテンツサーバ１２のネットワーク接続の制御を行う。コンテンツＤＢ５０は、コンテンツを格納し、コンテンツの情報を一元管理する。出力部５１は、接続された各機器への情報の出力を行う。操作部５２は、操作ボタンから各種操作を受け付ける。記憶部５３は、アクセス制御のためのカード識別子、コンテンツの進捗情報やポーリング制御のための機器識別情報等の情報を格納する。
【００５４】
（コンテンツサーバ１２のソフトウェアによる処理）
プロジェクタ１１からプレゼンターのＩＣカードのカード識別子を受け付けた場合、コンテンツリスト管理部４４は、コンテンツＤＢ５１を参照して当該プレゼンターが所有するコンテンツのリストをプロジェクタ１１に返す。プロジェクタ１１から投影コンテンツの要求が来た場合、コンテンツ制御部４５は、コンテンツＤＢ５１から投影コンテンツを特定し、プロジェクタ１１に送信する。また、ＰＣ１３から投影コンテンツ識別子に対応する投影コンテンツの要求を受け付けた場合、コンテンツ制御部４５は、コンテンツＤＢ５０から投影コンテンツを読み出し、ネットワークモジュール４９からＰＣ１３へ投影コンテンツを送信する。
【００５５】
コンテンツを投影しているときは、コンテンツの投影の進捗情報をプロジェクタ１１から受け付け、記憶部５３に格納する。オーディエンスへの投影コンテンツの送信を、投影コンテンツのうち既に投影されたスライドに限定する場合、コンテンツ制御部４５は以下の処理を行う。ＰＣ１３からの投影コンテンツの要求を受け付けたコンテンツ制御部４５は、投影コンテンツ識別子に対応する投影コンテンツを特定するとともに、記憶部５３に格納されたコンテンツ進捗情報を参照する。コンテンツ制御部４５は、特定した投影コンテンツのデータのうち、既に投影されたスライドのデータのみを、ネットワークモジュール４９を介してＰＣ１３に送るよう制御する。
【００５６】
投影したコンテンツを、オーディエンスのＰＣ１３へポーリングにより送信する場合、ポーリングはポーリング制御部４６に制御される。具体的には、ＰＣ１３から投影コンテンツの要求を受け付けた場合、ユーザー情報管理部４３が投影コンテンツの要求を行ったＰＣ１３の機器識別情報を記憶しておく。ポーリング制御部４６は、記憶されたＰＣ１３に定期的に問い合わせを行い、投影コンテンツのデータの差分をＰＣ１３に送信する。尚、投影コンテンツのデータの差分とは、既に投影を行っていて、未だＰＣ１３に送信されていない投影コンテンツのデータを指す。
【００５７】
ポーリングにより投影コンテンツのデータの差分を送信する場合、上述のようにＰＣ１３の機器識別情報により機器を特定するほか、ＩＣカードのカード識別子によって、差分を送信するＰＣ１３を特定する構成としてもよい。ＰＣ１３がＩＣカードを提示された時、投影コンテンツ識別子とともにカード識別子をＩＣカードから読み取って、コンテンツサーバ１２に送信し、ポーリング制御部４６はカード識別子毎にポーリング処理を制御する構成としてもよい。この構成により、オーディエンスはプレゼンテーションの進捗状況に従って、スムーズに最新ページのコンテンツを自身のＰＣで閲覧することができる。
【００５８】
また、関連コンテンツ制御部４７の制御により、投影コンテンツに関連するコンテンツをオーディエンスが取得できるよう構成することができる。例えば、投影コンテンツが「2011/01  会計報告書」であった場合、オーディエンスがＰＣ１３に関連コンテンツを問い合わせる。ネットワークモジュール４９から関連コンテンツの問い合わせを受け付けた関連コンテンツ制御部４７が、投影コンテンツに関連するコンテンツをコンテンツＤＢ５０から検索し、関連コンテンツのリストをＰＣ１３に返す。ＰＣ１３が、関連コンテンツのリストから「2010/12  会計報告書」を選択すると、コンテンツ制御部４５がコンテンツＤＢ５０から、決定した関連コンテンツをＰＣ１３に送信する。尚、同様の処理によりプレゼンターが関連コンテンツをプロジェクタ１１に投影することも可能である。
【００５９】
コンテンツサーバ１２にユーザー管理機能及びコンテンツ管理機能を設けることで、ＩＣカードによる投影コンテンツの要求に確実に対応することができる。
【００６０】
（コンテンツＤＢ５０の例）
コンテンツＤＢ５０の具体例を説明する。図７に、コンテンツＤＢ５０の一例を図示する。
【００６１】
図７（ａ）において、コンテンツＤＢ５０には、投影コンテンツ識別子に対応して、コンテンツのファイル名と、コンテンツの所有者と、コンテンツを格納した日付が格納されている。図７（ｂ）では、カード識別子毎にコンテンツのデータベースを保持している。プロジェクタ１１からプレゼンターのカード識別子を受け付け、コンテンツのリストを要求された場合、受け付けたカード識別子を持つファイルを、投影コンテンツのコンテンツリストとして、プロジェクタ１１に返す。図７（ｃ）は、関連コンテンツ毎に表示されたコンテンツのデータベースを表す図である。投影コンテンツが選択され、選択されたコンテンツに関連のあるコンテンツが一覧となって表示されている。
【００６２】
尚、コンテンツＤＢ５０は、ネットワークデータプロジェクタシステム１を構成する情報処理端末毎、またはユーザ毎に分類してデータを保有するよう構成してもよい。コンテンツリストＤＢ５０は、コンテンツサーバ１２に接続されたＰＣから必要に応じて更新される。
【００６３】
（ＰＣ１３のハードウェア構成と機能）
次に、ＰＣ１３のハードウェア構成と機能について説明する。図８は、ＰＣ１３のハードウェア構成図である。
【００６４】
ＰＣ１３は、表示装置１３１、入力端子１３２、ネットワークＩ／Ｆ１３３、ＣＰＵ１３４、メモリ装置１３５、永続ストレージ１３６、ＩＣカード端末１３７を備える。表示装置１３１は、モニター等、メッセージや動作状態を表示する装置である。入力端子１３２は、マウスやキーボードなどで構成される操作指示を受け付ける装置である。ネットワークＩ／Ｆ１３３は、プロジェクタ１１やコンテンツサーバ１２等と接続され、データを送受信する端子である。ＣＰＵ１３４は、ＰＣ１３を制御する中央演算装置である。メモリ装置１３５は、演算に必要なデータを読み書きする装置である。永続ストレージ１３６は、永続情報の記憶や読み出しを行う装置である。ＩＣカード端末１３７は、ＩＣカードに格納された情報を読み書きする装置である。
【００６５】
（ＰＣ１３のハードウェアによる処理）
ＣＰＵ１３４により、以下の処理が実行される。オーディエンスは、投影されている投影コンテンツの情報を得たいと考えた場合、ＩＣカードをプロジェクタ１１のＩＣカード端末１１８にかざして投影コンテンツ識別子を取得する。投影コンテンツ識別子を格納したＩＣカードをＩＣカード端末１３７にかざし、ネットワークＩ／Ｆ１３３から投影コンテンツ識別子をコンテンツサーバ１２に送信して投影コンテンツを要求する。ネットワークＩ／Ｆ１３３から投影コンテンツを受け付けると、投影コンテンツはメモリ１３５に格納され、表示装置１３１に表示される。
【００６６】
オーディエンスは投影コンテンツ識別子を格納したＩＣカードをＩＣカード端末１３７にかざすことで、確実に投影コンテンツを取得することができる。
【００６７】
（ＰＣ１３の機能）
次に、ＰＣ１３の機能について説明する。図９はＰＣ１３の機能ブロック図である。ＰＣ１３は、ＩＣカード読取装置を備える汎用的な情報処理端末であるが、便宜上、本実施の形態の説明に必要な構成要素を示す。
【００６８】
ＰＣ１３は、アプリケーションとしてコンテンツ共有アプリ６１を備える。ＰＣ１３は、ミドルウェアとしてウィンドウ管理部６２、ＩＣカード情報読取部６３、投影コンテンツ要求部６４を備える。ＰＣ１３は、ほかにネットワークモジュール６５、永続情報記憶部６６、映像出力部６７、操作部６８、ＩＣカード制御部６９を備える。
【００６９】
コンテンツ共有アプリ６１は、ＩＣカードから読み取られた情報を解析して、取得すべきコンテンツの識別子を特定する。コンテンツ共有アプリ６１は、取得した投影コンテンツを表示装置１３１に表示する。ウィンドウ管理部６２は、ＰＣ１３におけるコンテンツの表示画面を管理する。ＩＣカード情報読取部６３は、ＩＣカードからカード識別子及び投影コンテンツ識別子を読み取る。投影コンテンツ要求部６４は、カード識別子をコンテンツサーバ１２に送信し、投影コンテンツを要求する。
【００７０】
ネットワークモジュール６５は、ＰＣ１３のネットワーク接続を制御する。永続情報記憶部６６は、メモリ装置１３５や永続ストレージ１３６の情報の入出力を管理する。映像出力部６７は、表示装置１３１への映像の出力を行う。操作部６８は、ユーザーの操作を受け付ける。ＩＣカード制御部６９は、ＩＣカードからの情報の入出力を制御する。
【００７１】
（ＰＣ１３のソフトウェアによる処理）
オーディエンスは、投影コンテンツの配信を希望する場合、ＩＣカードをプロジェクタ１１のＩＣカード端末１１８にかざして投影コンテンツ識別子を取得する。投影コンテンツ識別子を格納したＩＣカードを、ＰＣ１３のＩＣカード端末１３７にかざすと、ＩＣカード情報読取部６３から投影コンテンツ識別子が読み取られる。読み取られた投影コンテンツ識別子は、投影コンテンツ要求部６４からコンテンツサーバ１２へ送信され、投影コンテンツが要求される。投影コンテンツをコンテンツサーバ１２から取得すると、コンテンツ共有アプリ６１は表示装置１３１に投影コンテンツを表示する。
【００７２】
オーディエンスは、投影コンテンツ識別子を格納したＩＣカードをＰＣ１３のＩＣカード端末１３７にかざすことで、確実に所望の投影コンテンツを取得することができる。
【００７３】
（ＩＣカードのデータ構造）
次に、ＩＣカードのデータ構造について説明する。図１０は、ＩＣカードのデータ構造図である。
【００７４】
ＩＣカードは、ＩＣカードのカード識別子の領域及び投影コンテンツ識別子の領域を備える。カード識別子の領域には、予めカード識別子がカードに対して一意に格納されている。カード識別子は、ＩＣカードの所有者に関する情報と対応して記憶されている。投影コンテンツ識別子の領域には、初期段階では何も格納されていないが、プロジェクタ１１が投影コンテンツを投影している間に、オーディエンスがプロジェクタ１１にカードを提示することで、投影コンテンツの投影コンテンツ識別子が格納される。
【００７５】
（本実施形態における処理の流れ）
次に、ネットワークデータプロジェクタシステム１の本実施形態における処理の流れを説明する。図１１は、第一の実施形態におけるネットワークデータプロジェクタシステム１の処理フローである。
【００７６】
Ｓ３０１において、プロジェクタ１１のＩＣカード端末１１８にＩＣカードが提示されると、プロジェクタ１１に、ＩＣカードを提示した者が誰かを問い合わせる画面が投影される。Ｓ３０２において、ＩＣカードを提示した者がプレゼンターであると入力された場合、Ｓ３０３に進み、プロジェクタ１１がＩＣカードのカード識別子を読み込む。Ｓ３０２で、ＩＣカードを提示した者がプレゼンターでない場合、提示者はオーディエンスであるため、Ｓ３１３に進む。
【００７７】
Ｓ３０４において、提示されたＩＣカードのカード識別子がプロジェクタ１１からコンテンツサーバ１２に送信されると、Ｓ３０５で、コンテンツサーバ１２はコンテンツＤＢ５０を参照し、カード識別子と関連付けられたコンテンツのリストをプロジェクタ１１に返す。Ｓ３０６において、プロジェクタ１１が、コンテンツサーバ１２から受け付けたコンテンツリストを投影する。Ｓ３０７で、プレゼンターはプロジェクタ１１に投影されたコンテンツリストの中から、投影コンテンツを決定する。
【００７８】
Ｓ３０８において、プレゼンターが決定した投影コンテンツがプロジェクタ１１からコンテンツサーバ１２に要求される。Ｓ３０９で、コンテンツサーバ１２が投影コンテンツをプロジェクタ１１に送信する。Ｓ３１０で、プロジェクタ１１はコンテンツサーバ１２から受け付けた投影コンテンツを投影する。
【００７９】
オーディエンス側の処理に移る。Ｓ３１１において、プロジェクタ１１のＩＣカード端末１１８にＩＣカードが提示されると、ＩＣカードを提示した者が誰かを問い合わせる画面がプロジェクタ１１に投影される。Ｓ３１２で、ＩＣカードを提示した者がオーディエンスであると判断された場合、Ｓ３１３に進む。ＩＣカードを提示した者がオーディエンスでない場合、提示者はプレゼンターであるため、Ｓ３０３に戻って処理を継続する。Ｓ３１３において、コンテンツが投影中である場合、Ｓ３１４に進む。Ｓ３１３においてコンテンツが投影中でない場合、提示されたオーディエンスのＩＣカードに格納すべき投影コンテンツが決定していないため、処理を終了する。
【００８０】
Ｓ３１４で、プロジェクタ１１の投影コンテンツ識別子格納部２７によって、ＩＣカードに投影コンテンツの投影コンテンツ識別子が格納される。Ｓ３１５において、オーディエンスがＩＣカードを自己のＰＣ１３のＩＣカード端末１３７に提示すると、ＩＣカードに格納された投影コンテンツ識別子がＰＣ１３で読み込まれる。Ｓ３１６で、ＰＣ１３の投影コンテンツ要求部６４が、投影コンテンツ識別子に対応する投影コンテンツをコンテンツサーバ１２に要求する。Ｓ３１７で、コンテンツサーバ１２のコンテンツ管理部４４によって、要求された投影コンテンツがＰＣ１３に送信される。Ｓ３１８において、ＰＣ１３がコンテンツ制御部４５から受け付けた投影コンテンツを表示する。
【００８１】
ＩＣカードを用いて投影コンテンツを特定する投影コンテンツ識別子を授受することで、オーディエンスは所望の投影コンテンツを容易に特定し、確実に取得することができる。
【００８２】
（変形例）
尚、プロジェクタ１１がＩＣカードの提示に対し、カードを提示した者を問い合わせることとしたが、プロジェクタ１１の電源投入後に最初にＩＣカードを提示した者をプレゼンター、二番目以降に提示した者をオーディエンスと認識する構成としてもよい。この場合、電源投入後、最初のＩＣカード提示に対して自動的にカード識別子を読み込んでコンテンツサーバ１２に送り、コンテンツリストを要求することとなる。
【００８３】
（第二の実施形態）
次に、第二の実施形態について説明する。本実施形態では、オーディエンスのＩＣカードのカード識別子がコンテンツサーバ１３に管理され、ＰＣ１３への投影コンテンツの送信が、オーディエンスのカード識別子に基づいて制限される。
【００８４】
具体的には、オーディエンスが投影コンテンツの配信を希望する場合、プロジェクタ１１がＩＣカードに投影コンテンツ識別子を格納する必要があるが、この際にプロジェクタ１１がオーディエンスのＩＣカードのカード識別子を読み込む。読み込まれたカード識別子は、コンテンツサーバ１２に送られ、記憶される。オーディエンスがＩＣカードをＰＣ１３に提示すると、ＰＣ１３は投影コンテンツ識別子と共にカード識別子をＩＣカードから読み込み、コンテンツサーバ１２に送って投影コンテンツを要求する。
【００８５】
コンテンツサーバ１２が投影コンテンツの要求を受け付けると、ＰＣ１３から送られてきたカード識別子が、コンテンツサーバ１２に記憶されたカード識別子の中に存在するか否かが確認される。ＰＣ１３から受け付けたカード識別子がコンテンツサーバ１２に記憶されている場合、ＰＣ１３に提示されたＩＣカードを持つオーディエンスによるアクセスであると判断し、アクセス判定可と判定され、ＰＣ１３に投影コンテンツが送信される。
【００８６】
以下、図１２に基づいて、第二の実施形態における処理の流れを説明する。図１２は、第二の実施形態の処理手順を説明するためのシーケンス図である。
Ｓ４０１からＳ４１１において、プレゼンターがＩＣカードをプロジェクタ１１に提示し、投影コンテンツがプロジェクタ１１に投影され、コンテンツ投影の進捗情報が記憶されるまでの処理が行われる。この処理については、図２におけるＳ１０１〜Ｓ１１１と同様である。
【００８７】
Ｓ４１２において、コンテンツの投影中に、オーディエンスがＩＣカードをプロジェクタ１１に提示する。Ｓ４１３で、プロジェクタ１１の投影コンテンツ識別子格納部２７が、投影コンテンツの投影コンテンツ識別子をＩＣカードに格納する処理については第一の実施形態と同様である。これに加え、第二の実施形態では、Ｓ４１４でプロジェクタ１１のＩＣカード情報読取部２４が、オーディエンスのＩＣカードのカード識別子を読み取る。Ｓ４１５において、読み取られたオーディエンスのＩＣカードのカード識別子は、プロジェクタ１１からコンテンツサーバ１２に送信され、Ｓ４１６でコンテンツサーバ１２の記憶部５３に記憶される。
【００８８】
Ｓ４１７において、オーディエンスがＰＣ１３にＩＣカードを提示すると、ＰＣ１３はＩＣカードから、格納された投影コンテンツ識別子と共にカード識別子を読み出し、Ｓ４１８でコンテンツサーバ１２に投影コンテンツを要求する。投影コンテンツの要求の時に、投影コンテンツ識別子とカード識別子をコンテンツサーバ１２に送信する。Ｓ４１９において、アクセス制御部４８が、ＰＣ１３から受け付けたカード識別子が記憶部５３に記憶されているか否かを確認する。
【００８９】
記憶部５３にカード識別子が記憶されている場合、コンテンツサーバ１２のアクセス制御部４８は、ＰＣ１３に提示されたＩＣカードはアクセス可であると判定する。コンテンツサーバ１２のコンテンツ制御部４５により、ＰＣ１３に投影コンテンツ識別子に対応した投影コンテンツが送信される。記憶部５３にカード識別子が記憶されていない場合、ＩＣカードはプロジェクタ１１に提示されていないため、そのＩＣカードを持つオーディエンスについて、アクセス制御部４８はアクセス不可であると判定する。その場合はＰＣ１３に投影コンテンツが送信されず処理が終了する。
【００９０】
コンテンツサーバ１２に、カード識別子に基づいたアクセス判定の機能を持たせることで、プロジェクタ１１のオーディエンスに投影コンテンツの送信を限定することができる。これにより、例えば不正な方法で投影コンテンツ識別子を入手した外部の者に対し、投影コンテンツの送信を制限することができ、セキュリティの強化を図ることができる。
【００９１】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００９２】
１      ネットワークデータプロジェクタシステム
１１    プロジェクタ
１２    コンテンツサーバ
１３    ＰＣ
２４    ＩＣカード情報読取部
２６    コンテンツ取得部
２７    投影コンテンツ識別子格納部
２８    コンテンツ投影進捗情報送信部
４５    コンテンツ制御部
４６    ポーリング制御部
４７    関連コンテンツ制御部
４８    アクセス制御部
５０    コンテンツＤＢ
５３    記憶部
６３    ＩＣカード情報読取部
６４    投影コンテンツ要求部
【先行技術文献】
【特許文献】
【００９３】
【特許文献１】特開２００２−２９０６０５号公報
【図１】
0005884350.tif 000002
【図２】
0005884350.tif 000003
【図３】
0005884350.tif 000004
【図４】
0005884350.tif 000005
【図５】
0005884350.tif 000006
【図６】
0005884350.tif 000007
【図７】
0005884350.tif 000008
【図８】
0005884350.tif 000009
【図９】
0005884350.tif 000010
【図１０】
0005884350.tif 000011
【図１１】
0005884350.tif 000012
【図１２】
0005884350.tif 000013